【手続補正書】
【提出日】平成16年2月18日(2004.2.18)
【手続補正１】
【補正対象書類名】明細書
【補正対象項目名】０００３
【補正方法】変更
【補正の内容】
【０００３】
このため、ハロゲン化銀写真感光材料を処理する処理液を密閉性の高い容器（例えばインクジェットヘッド）に収容して、処理液を感材の乳剤面に気相を介して供給することが特開平６−３２４４５５号公報に開示されている。


【手続補正２】
【補正対象書類名】明細書
【補正対象項目名】０００５
【補正方法】変更
【補正の内容】
【０００５】
例えば、ＵＳＰ４９０１０９３号公報に記載されているインクジェットの射出ノズル（オリフィス）の数を増して高速処理能力を持つものであっても、ハロゲン化銀写真感光材料を処理する処理液の場合は、供給液量が十分でない。さらに安定した噴射を維持するにはヘッド部の洗浄等のメンテナンスが必要であったり、ノズルの目詰まりが発生しやすいことがわかった。


【手続補正３】
【補正対象書類名】明細書
【補正対象項目名】００１０
【補正方法】変更
【補正の内容】
【００１０】
また連続して処理する処理速度がインクジェットの場合に比べ早いので、液中に気泡が混入しやすいことが新たに判った。つまりこれによってチャンバー内の圧力損失があり、噴射不良が発生する。また処理液の場合発生した気泡が容易にチャンバー外に出ていかないことが判明した。写真用処理液は通常のインクに比較して、無機塩の塩濃度が非常に高いため気泡が発生しやすく、問題の解決が困難である。


【手続補正４】
【補正対象書類名】明細書
【補正対象項目名】００４１
【補正方法】変更
【補正の内容】
【００４１】
この発明の処理液供給スピードは、処理液供給手段から感光材料に供給される処理液の１秒当たりの体積である。この発明では、迅速処理性の観点から、処理液供給スピードは０．０１ｍ１／秒から２．５ｍ１／秒が好ましく、より好ましくは０．１ｍ１／秒〜１．０ｍ１／秒である。


【手続補正５】
【補正対象書類名】明細書
【補正対象項目名】００４２
【補正方法】変更
【補正の内容】
【００４２】
また、オリフィスの処理液供給口と感光材料の乳剤面との距離は０．５ｍｍ以上１０ｍｍ以下が好ましいが、さらに１．５ｍｍ以上５ｍｍ以下であることが好ましい。
（感材の加熱手段）
この発明のハロゲン化銀写真感光材料用自動現像機には感光材料を加熱する手段を有することが好ましい。加熱手段としては熱ドラム、熱べルト、ドライヤー、赤外線、高周波の電磁波などを用いる方法が挙げられる。感材は処理液が供給される前、された後など、いつ加熱されても良いが、処理の迅速性の観点から、処理液が供給される前に加熱されることが好ましい。加熱された感材の温度は３５℃以上が好ましく、さらに処理の迅速性の観点などから４０℃以上であることがより好ましい。また、感材の耐熱性などから１００℃以下であることが好ましく、さらに８０℃以下であることがより好ましい。処理される感材の乳剤面への悪影響を防止するために、感材は乳剤面とは逆の面から加熱されることが好ましい。
（処理工程）
この発明のハロゲン化銀写真感光材料用自動現像機は感材を処理液で処理する処理工程であればどの工程で用いられてもよいが、定着、安定工程など不要物を感材から除去する処理工程で用いるよりも、現像工程、発色現像工程、漂白工程など色素生成や酸化反応を起こす処理工程に用いられることが好ましい。これらの処理工程の中でも、現像工程、発色現像工程がより好ましく、さらに現像主薬の酸化によりタールが発生することなど保存性の観点から、発色現像工程が特に好ましい。
（処理液）
この発明で用いられる処理液とは、通常の処理液だけでなく、それ単独では処理反応を完了できない液も含み、感光材料の処理に寄与しうる成分を含有する溶液の全てを指し、単なる水も含む。ここで言う感光材料の処理に寄与しうる成分とは、例えば、発色現像主薬、アルカリ剤はもちろんのこと、界面活性剤など処理反応にあまり寄与しない成分も含む。


【手続補正６】
【補正対象書類名】明細書
【補正対象項目名】００５０
【補正方法】変更
【補正の内容】
【００５０】
等が挙げられ、Ｙはアルキレンオキサイド基、アルキレン基等が挙げられる。Ｒｆ′は少なくともｌつのフッ素原子を含有する飽和、又は不飽和の炭化水素基を表す。更にＡは−ＳＯ3Ｍ、−ＯＳＯ3Ｍ、−ＣＯＯＭ、−ＯＰＯ3（Ｍ1）（Ｍ2）、−ＰＯ3（Ｍ1）（Ｍ2）等の親水基を表し、好ましくは−ＳＯ3Ｍが挙げられる。Ｍ、Ｍ1、Ｍ2はＨ、Ｌｉ、Ｋ、Ｎａ又はＮＨ4を表し、好ましくはＬｉ、Ｋ、Ｎａ、最も好ましくはＬｉである。ｍは０又は１、ｎは０又は１〜１０の整数を表し、好ましくはｍ＝０、ｎ＝０である。


【手続補正７】
【補正対象書類名】明細書
【補正対象項目名】００７８
【補正方法】変更
【補正の内容】
【００７８】
また、この発明のハロゲン化銀写真感光材料用自動現像機は処理液供給手段からの処理液供給量が感光材料１ｍ2当たり１０ｍｌ／ｍ2〜１００ｍｌ／ｍ2であることが好ましく、さらには１５ｍｌ／ｍ2〜５０ｍｌ／ｍ2であることが処理液供給後の感光材料の乳剤面の液だれ防止の観点から好ましい。


【手続補正８】
【補正対象書類名】明細書
【補正対象項目名】００９４
【補正方法】変更
【補正の内容】
【００９４】
また、オリフィス２５ａの長さＬは０．０５ｍｍ〜５ｍｍが好ましく、より好ましいのは０．１ｍｍ〜１ｍｍである。オリフィス２５ａの直径は、射出面側で０．０２ｍｍ〜０．１ｍｍか好ましい。


【手続補正９】
【補正対象書類名】明細書
【補正対象項目名】００９８
【補正方法】変更
【補正の内容】
【００９８】
本発明
制御弁の開閉回数を一秒間１００回で、連続射出を行った。駆動電圧は４０Ｖで、０．５ｍｍピッチで５０オリフィスで構成されたハロゲン化銀写真感光材料用自動現像機を用いた。ノズル板のオリフィスパターンは図４のものを用いた。オリフィスの数は５０個、制御弁の出口断面積Ｓ１は０．２５ｍｍ2である。オリフィス直径３０ミクロンのノズル板を作成した。また、チャンバヘの加圧は０．５ｋｇｆ／ｃｍ2に設定した。
比較
制御弁は開放のままで連続射出を行った。その他の条件は本発明と同じである。


【手続補正１０】
【補正対象書類名】明細書
【補正対象項目名】０１０３
【補正方法】変更
【補正の内容】
【０１０３】
このように制御弁の出力断面積Ｓ１とノズルの総断面積Ｓ２との比（Ｓ１／Ｓ２）が０．３から２０の範囲において、安定した射出となりとミスト発生もなく、効果的に発揮されていることがわかる。また０．５から１０の範囲において、より効果的に本発明を奏す。
実施例３
実施例２−６において、制御弁の一秒間の開閉回数を下記のように変化させ、同様の実験をした。また、実施例と同様の評価をした。


【手続補正１１】
【補正対象書類名】明細書
【補正対象項目名】０１１２
【補正方法】変更
【補正の内容】
【０１１２】
表３からわかるように、液供給量を５から１００ｍｌ／ｍ2に設定することで、良好な性能を発揮することがわかる。
実施例６
実施例２−３において、処理液の表面張力を表５のように調整して同様の実験した。実施例２の評価に加え、ノズル板の汚れを観察した。


【手続補正１２】
【補正対象書類名】図面
【補正対象項目名】図１
【補正方法】変更
【補正の内容】
【図１】
2000305238.tif 000001
【手続補正１３】
【補正対象書類名】図面
【補正対象項目名】図２
【補正方法】変更
【補正の内容】
【図２】
2000305238.tif 000002